(57)【要約】【課題】鉢植え植物などの物品を効率的にライトアップする物品演出用照明器具を提供することにある。【解決手段】物品８を載置する取付台１と、載置された物品９の上部を照射する環形ランプ４を収納したランプ収納笠３と、取付台１上にランプ収納笠３を保持するための複数本の支柱５とを有する。この支柱５は、金属管や金属棒で形成し、取付台１を介しランプ収納笠３に収納した環形ランプ４に電源を供給することにより、物品をライトアップすることができる。【選択図】      図１
2004355970.tif 000002
【特許請求の範囲】
【請求項１】
物品を載置するための取付台と、前記取付台に載置された物品の上部，側面および下部のいずれかを照射するための環形ランプを収納したランプ収納笠と、前記取付台上に前記ランプ収納笠を保持するための複数本の支柱とを有し、前記取付台を介し前記ランプ収納笠に収納した前記環形ランプに電源を供給することにより、前記物品をライトアップすることを特徴とする物品演出用照明器具。
【請求項２】
前記複数本の支柱は、金属管もしくは金属棒あるいは同等強度の管状素材や棒状素材により形成するとともに、外側に突出した部分を形成したことを特徴とする請求項１記載の物品演出用照明器具。
【請求項３】
前記複数本の支柱は、金属管もしくは金属棒により直線状に形成したことを特徴とする請求項１記載の物品演出用照明器具。
【請求項４】
前記複数本の支柱は、前記物品に応じて、前記取付台および前記ランプ収納笠の距離を調節する機構を備えたことを特徴とする請求項１記載の物品演出用照明器具。
【請求項５】
前記取付台は、前記環形ランプ用のインバータを内蔵し、前記インバータから前記環形ランプに対する接続を前記支柱とは独立して行うことを特徴とする請求項１記載の物品演出用照明器具。
【請求項６】
前記取付台は、前記環形ランプ用のインバータを内蔵し、前記インバータから前記環形ランプに対する接続を前記複数本の支柱のうちの一本を兼用して行うことを特徴とする請求項１記載の物品演出用照明器具。
【請求項７】
前記環形ランプは、円形蛍光ランプや冷陰極ランプあるいは小型白熱電球ＬＥＤを環形状に配置したものを用いたことを特徴とする請求項１記載の物品演出用照明器具。
【請求項８】
前記ランプ収納笠および前記取付台は、共に防水構造としたことを特徴とする請求項１記載の物品演出用照明器具。
【発明の詳細な説明】
【０００１】
【発明の属する技術分野】
本発明は物品演出用照明器具に関し、特に鉢植え植物や人形等の物品のライトアップを行う物品演出用照明器具に関する。
【０００２】
【従来の技術】
従来より、鉢植えの観葉植物は、インテリアエレメントとして根強い人気があり、演出性を高めるために照明器具で照射してライトアップすることが実施されている。このような照明器具の設置にあたっては、手間や専門的な知識を要し、誰でもが手軽に操作できるものが要求されている。
【０００３】
例えば、ライトアップ用の照明器具としては、特許文献１などに紹介されている観賞用植木鉢がある。この従来例においては、植木鉢に発光体を取り付けたものである。
【０００４】
また、その他の従来例としては、特許文献２などに開示されている卓上ポットユニットがある。この従来例においては、観葉植物を入れたポットを上部から蛍光灯で照射する構造である。
【０００５】
【特許文献１】
特開平６−２１７６４５号公報（第２，３頁  図１）
【特許文献２】
実用新案登録公報  第２６００２１１号（第２頁  図２）
【０００６】
【発明が解決しようとする課題】
上述した第一の従来例においては、植木鉢に直接発光体を取り付けているため、植木の移動と光源の移動が一緒になるという問題がある。すなわち、その植木鉢に植えられた植物しかライトアップできないという欠点がある。
【０００７】
また、第二の従来例においては、照射が上部から行われるため、広範囲にわたってライトアップできないという欠点がある。
【０００８】
本発明の目的は、鉢植え植物などを容易に且つ効率よくライトアップするとともに、メンテナンスを簡単にして演出性を向上させることのできる物品演出用照明器具を提供することにある。
【０００９】
【課題を解決するための手段】
本発明の物品演出用照明器具は、物品を載置するための取付台と、前記取付台に載置された物品の上部，側面および下部のいずれかを照射するための円形蛍光ランプを収納したランプ収納笠と、前記取付台上に前記ランプ収納笠を保持するための複数本の支柱とを有し、前記取付台を介し前記ランプ収納笠に収納した前記円形蛍光ランプに電源を供給することにより、前記物品をライトアップすることを特徴としている。
【００１０】
本発明における複数本の支柱は、金属管もしくは金属棒あるいは同等強度の管状素材や棒状素材により形成するとともに、外側に突出した部分を形成することができる。
【００１１】
また、本発明における複数本の支柱は、金属管もしくは金属棒により直線状に形成しても良い。
【００１２】
また、本発明における複数本の支柱は、前記物品に応じて、前記取付台および前記ランプ収納笠の距離を調節する機構を備えることができる。
【００１３】
また、本発明における取付台は、前記円形蛍光ランプ用のインバータを内蔵し、前記インバータから前記円形蛍光ランプに対する接続を前記支柱とは独立して行うことができる。
【００１４】
さらに、本発明における取付台は、前記円形蛍光ランプ用のインバータを内蔵し、前記インバータから前記円形蛍光ランプに対する接続を前記複数本の支柱のうちの一本を兼用して行うこともできる。
【００１５】
さらに、本発明における環形ランプは、円形蛍光ランプや冷陰極ランプあるいは小型白熱電球ＬＥＤを環形状に配置したものを用いることができる。
【００１６】
さらに、本発明におけるランプ収納笠および取付台は、共に防水構造として形成することができる。
【００１７】
【発明の実施の形態】
次に、本発明の実施の形態について図面を参照して説明する。
【００１８】
図１は本発明の第一の実施の形態を示す物品演出用照明器具の半分切り欠き状態の正面図である。図１に示すように、本実施の形態は、鉢植え観葉植物演出用照明器具に適用し、その右半分を切り欠いた状態を示す。まず、この照明器具は、観葉植物の鉢８を載置するとともに、商用電源を供給するための電源プラグ６に接続された蛍光灯用のインバータ２を内蔵した円形平板状の取付台１と、この取付台１に載置された鉢８の上部を照射するための環形ランプ（例えば、円形蛍光灯ランプ）４を収納したランプ収納笠３と、取付台１上に適当な距離をもってランプ収納笠３を保持するための複数本（ここでは、２本）の支柱５とを有する。また、取付台１のインバータ２と環形ランプ４は、照明器具の側面部に設けられた電源ケーブル７により接続され、取付台１を介しランプ収納笠３に収納した環形ランプ４に電源を供給することにより、鉢８の観葉植物を効率的にライトアップすることができる。なお、照明器具各部の機能，構造等については，以下の図２および図３で説明する。
【００１９】
本実施の形態では、環形ランプ４の中に鉢植えを置くという構造であるため、環形ランプ４の中に置くのは鉢植えに限らず人形や装飾物などの品物であっても良い。また、本実施の形態では、照明器具と植木鉢とが分離しているので、昼間は植木鉢を日当たりの良いベランダなどに出し、夜間は室内の照明器具の中においてライトアップを楽しむことができる。
【００２０】
図２（ａ），（ｂ）はそれぞれ図１における照明器具の正面および側面から見た拡大図である。図２（ａ），（ｂ）に示すように、ランプ収納笠３は底面の内部に環形ランプ４を保持するためのほぼＵ字形状のランプホルダ９を等間隔に３箇所設けており、また電源ケーブル７は環形ランプ４に対し、ソケッツト７で接続される。
【００２１】
一方、対向して配置される２本の支柱５は、内部が空洞のパイプ状の金属管もしくは金属棒により形成するとともに、運搬のための把手の機能を果たすために外側に突出した部分を形成している。また、この支柱５は、鉢８もしくは中の観葉植物の大きさや高さに応じて、取付台１およびランプ収納笠３間の距離を調節する機構を備えることができる。
【００２２】
図３（ａ），（ｂ）はそれぞれ図１におけるランプ収納笠の平面および取付台の平面を表わす図である。図３（ａ），（ｂ）に示すように、ランプ収納笠３は中央が空間となっており、支柱５が対向配置されるとともに、底面には電源ケーブル７を挿入するためのソケット用穴１１をあけられている。なお、ここでの支柱５は電気的接続は関係なく、単に取付台１とランプ収納笠３とを機械的に結合する機能のみを持っている。
【００２３】
図４（ａ），（ｂ）はそれぞれ本発明の第二の実施の形態を示す物品演出用照明器具の正面およびそのランプ収納笠の平面を表わす図である。図４（ａ），（ｂ）に示すように、本実施の形態も、鉢植え観葉植物演出用照明器具に適用したものであるが、前述した第一の実施の形態と比較して支柱の構造および機能が相違している。
【００２４】
すなわち、本実施の形態も、第一の実施の形態と同様に、２本の支柱１２，１３を用いるが、そのうちの１本の支柱１２は金属管とし、その中に電源ケーブルを通すようにしたことにある。従って、支柱固定部の近傍にソケット１０が配置される。さらに、支柱１３は支柱１２と対向位置ではなく、９０度ずれた位置に配置し、しかも照明器具の側面に突起のないほぼ直線状に形成される。その他の構成要素については、第一の実施の形態と同様である。
【００２５】
本実施の形態は、複数本の支柱を金属管もしくは金属棒により直線状に形成するとともに、鉢８の高さに応じて取付台１およびランプ収納笠３の距離を調節する機構を備えることができる。
【００２６】
このような支柱構造とすることにより、演出用照明器具の支柱を目立たせないようにすることができ、インテリア空間を演出する装飾物を実現することができる。
【００２７】
図５は本発明の第三の実施の形態を示す物品演出用照明器具の右半分の正面図である。図５に示すように、本実施の形態は、取付台１およびランプ収納笠３間を保持する支柱５を直線状とするとともに、最短距離で形成した例である。本実施の形態においても、支柱５の長さを調節する機構を付加することは容易である。
【００２８】
上述した実施の形態では、環形ランプとして円形蛍光ランプを取り上げて説明したが、光源としてはこの他にも、冷陰極ランプまたは小型白熱電球ＬＥＤを複数個環形状に配置して用いても良い。
【００２９】
また、上述した実施の形態では、物品の上部を照射するための環形ランプを収納したランプ収納笠を例に取って説明したが、上部だけでなく、側面および下方のいずれかを照射するようにしてもよい。その際には、ランプ収納笠の両端でランプ収納笠自体の傾斜を変えるための傾斜回転機構を設けるようにしてもよい。
【００３０】
また、上述した実施の形態では、支柱として、金属管や金属棒を例に取り上げて説明したが、同等強度の管状素材や棒状素材により形成してもよい。
【００３１】
また、上述した実施の形態では、物品を鉢物としているため、ランプ収納笠およびインバータを内蔵した取付台は、共に防水構造とした方がよい事はいうまでもない。その際、ランプ収納笠は光透過面をガラスやプラスチック材などを用いで形成すると共に、取付台やランプ収納笠のケーブルやコードの密封部に対してはパッキングなどの封止手段を用いて風刺封止する。
【００３２】
また、上述の実施の形態では、物品として鉢植え植物を取り上げて説明したが、これらの他にも人形やその他の品物を用い、ライトアップするようにしても良い。
【００３３】
【発明の効果】
以上説明したように、本発明の物品演出用照明器具は、鉢などの物品載置用取付台と、その取付台に載置した物品の上部を照射する環形ランプを収納したランプ収納笠と、取付台上にランプ収納笠を保持するための複数本の支柱とを有することにより、観葉植物などの物品が効果的にライトアップされ、インテリア空間を演出する装飾物を実現できるという効果がある。要するに、被照射物の側面が広範囲にわたってライトアップされるため、演出性が向上する。
【００３４】
また、本発明は，環形状の光源に高周波専用の細形蛍光ランプを用いれば、管の径が細いため、蛍光ランプの内側の鉢植え収納スペースを拡大することができ、しかも白熱電球などに比べ発熱が少ないので植物などの物品に悪影響を与えず、省エネルギを実現することができるという効果がある。
【図面の簡単な説明】
【図１】本発明の第一の実施の形態を示す物品演出用照明器具の半分切り欠き状態の正面図である。
【図２】図１における照明器具の正面および側面から見た拡大図である。
【図３】図１におけるランプ収納笠の平面および取付台の平面を表わす図である。
【図４】本発明の第二の実施の形態を示す物品演出用照明器具の正面およびそのランプ収納笠の平面を表わす図である。
【図５】本発明の第三の実施の形態を示す物品演出用照明器具の右半分の正面図である。
【符号の説明】
１    取付台
２    インバータ
３    ランプ収納笠
４    ランプ
５    支柱
６    電源プラグ
７    電源ケーブル
８    鉢
９    ランプホルダ
１０    ソケット
１１    ソケット用穴
１２    支柱兼電源ケーブル
１３    支柱
【図１】
2004355970.tif 000003
【図２】
2004355970.tif 000004
【図３】
2004355970.tif 000005
【図４】
2004355970.tif 000006
【図５】
2004355970.tif 000007